(57)【要約】【課題】  模様や色彩等のデザインにおいて多様性を有すると共に、患者、特に気の弱い人や幼児年齢にある子供（患者）の恐怖心を生じさせることなく、平常時の心拍数や血圧の診察を可能とする聴診器を提供する。【課題手段】  聴診器ヘッドと、導管と、耳管と、イヤーチップとから構成された聴診器であって、前記聴診器ヘッドは、相互に分離可能な透明又は半透明素材から成るヘッド上部とヘッド下部とから構成され、使用時には前記ヘッド上部と前記ヘッド下部は嵌合されて一体構造を成し、前記ヘッド下部は、導管接続口を介して前記導管と接続された透明のダイヤフラムが備えられ、前記ヘッド上部と前記ヘッド下部との境界面にはシート類を挟み込むスペースが生じるように構成される。【選択図】  図２
0003106385.tif 000002
【実用新案登録請求の範囲】
【請求項１】
聴診器ヘッドと、導管と、耳管と、イヤーチップとから構成された聴診器であって、
前記聴診器ヘッドは、相互に分離可能な透明又は半透明素材から成るヘッド上部とヘッド下部とから構成され、使用時には前記ヘッド上部と前記ヘッド下部は嵌合されて一体構造を成し、
前記ヘッド下部は、導管接続口を介して前記導管と接続された透明又は半透明のダイヤフラムが備えられ、前記ヘッド上部と前記ヘッド下部との境界面にはシート類を挟み込むスペースが生じるように構成されたことを特徴とする聴診器。
【請求項２】
前記ヘッド下部には、小物類を収納することができる収納スペースが設けられていることを特徴とする請求項１に記載の聴診器。
【請求項３】
前記透明又は半透明のヘッド上部及び前記ヘッド下部の素材は、アクリル樹脂又はガラスである請求項１又は２に記載の聴診器。
【請求項４】
前記ダイヤフラムは、透明又は半透明のエポキシ樹脂又はナイロンを素材として形成されていることを特徴とする請求項１乃至３の何れか１項に記載の聴診器。
【請求項５】
前記ヘッド上部と前記ヘッド下部とは、両者の円周に沿って切られたネジ部によって互いに結合されることを特徴とする請求項１乃至４の何れか１項に記載の聴診器。
【請求項６】
前記ヘッド上部と前記ヘッド下部とは、嵌め込み式の嵌合部によって互いに嵌合される構造であることを特徴とする請求項１乃至４の何れか１項に記載の聴診器。
【考案の詳細な説明】
【技術分野】
【０００１】
本考案は、聴診器に関し、特に、一つの聴診器で種々の模様や色彩を生じさせるデザインの多様性を有する聴診器に関する。
【背景技術】
【０００２】
従来の聴診器としては、例えば図１７に示すようなものがある。
同図に示す従来の聴診器は、患者の心拍音を聴くためのヘッド主体部９１と、ヘッド主体部９１に接続された導管接続口２と、導管接続口２に接続された導管３と、導管３に接続された耳管４と、耳管４の先端に設置されたイヤーチップ５と、を備えて構成されている。
【０００３】
ヘッド主体部９１の底面には、振動板（シート）となる１枚のダイヤフラム１１１が張られている。このダイヤフラム１１１の底面が患者の胸に当てられる。
【０００４】
患者の心拍音は、ヘッド主体部９１のダイヤフラム１１１に伝わり、さらに、ダイヤフラム１１１と固着された導管接続口２、導管３、耳管４、イヤーチップ５の順で伝達され、イヤーチップ５を挿入した医師の耳にまで達する。
【考案の開示】
【考案が解決しようとする課題】
【０００５】
しかしながら、上記背景技術で述べた従来の聴診器にあっては、ヘッド主体部１が機能本位に設計されており、冷たい機械の肌合いを感じさせてデザイン的に劣悪であるばかりか、例えば、患者が幼児年齢の子供の場合には、ヘッド主体部１を胸部等の診察部位に押し当てることにより患者に強い恐怖感を与え、その結果、患者の心拍数や血圧を昂進させてしまう等、診察に支障が生じさせるという問題点があった。
【０００６】
本考案は、上記従来の問題点に鑑みてなされたものであって、模様や色彩等のデザインにおいて多様性を有すると共に、患者、特に気の弱い人や幼児年齢にある子供（患者）の恐怖心を生じさせることなく、平常時の心拍数や血圧の診察を可能とする聴診器を提供することを目的としている。
【課題を解決するための手段】
【０００７】
上記課題を解決するために、本考案は、聴診器ヘッドと、導管と、耳管と、イヤーチップとから構成された聴診器であって、前記聴診器ヘッドは、相互に分離可能な透明又は半透明素材から成るヘッド上部とヘッド下部とから構成され、使用時には前記ヘッド上部と前記ヘッド下部は嵌合されて一体構造を成し、前記ヘッド下部は、導管接続口を介して前記導管と接続された透明又は半透明のダイヤフラムが備えられ、前記ヘッド上部と前記ヘッド下部との境界面にはシート類を挟み込むスペースが生じるように構成された聴診器を提供するものである。
【０００８】
これにより、前記ヘッド上部と前記ヘッド下部との境界面に挿入されるシートを、例えば、美的な図柄シートや、漫画のキャラクタ若しくは写真等を挿入する美的な図柄にすることにより聴診器のデザインに多様性を生じさせると共に、平常時の心身状態でもって診察を受けさせることを可能とするのである。
【０００９】
ここで、請求項１に記載の聴診器の前記ヘッド下部には、さらに小物類を収納することができる収納スペースが設けられていることを特徴とする。
これにより、この収納スペースに収納する小物類を、例えば、ガラス細工製品、宝石類、小型の玩具、小型の時計等とすることにより、装飾性を向上させると共に、幼児年齢にある子供（患者）の関心を引き付けることができる。
【００１０】
また、請求項１又は２に記載の聴診器は、前記ヘッド上部及び前記ヘッド下部が、透明又は半透明のアクリル樹脂、若しくは、透明又は半透明のガラスを素材として形成されていることを特徴とする。
これにより、前記シート類の図柄及び前記小物類の外観を患者に目視させ、かつ前記シート類の他方の面に書かれたメモ書きを医師に目視させることができるようにしている。
【００１１】
また、請求項１乃至３の何れか１項に記載の聴診器は、前記ダイヤフラムが、透明又は半透明のエポキシ樹脂、若しくは、透明又は半透明のナイロンを素材として形成されていることを特徴とする。
これにより、前記シート類の図柄及び前記小物類の外観を患者に目視させることができるようにしている。
【００１２】
さらに、請求項１乃至４の何れか１項に記載の聴診器は、前記ヘッド上部と前記ヘッド下部とが、両者の円周に沿って切られたネジ部によって互いに結合される構造であることを特徴とする。
これにより、前記ヘッド上部と前記ヘッド下部とを、使用時には、その境界面に前記シート類を挟んだ状態で嵌合できるようにしている。
【００１３】
また、請求項１乃至４の何れか１項に記載の聴診器は、前記ヘッド上部と前記ヘッド下部とが、嵌め込み式の嵌合部によって互いに嵌合される構造であることを特徴とする。
これにより、前記ヘッド上部と前記ヘッド下部とを、使用時には、その境界面に前記シート類を挟んだ状態で簡単に嵌合できるようにしている。
【考案の効果】
【００１４】
以上説明したように、本考案の聴診器においては、聴診器ヘッドを構成するヘッド上部とヘッド下部との境界面に、例えば、美的な図柄シートや、漫画のキャラクタ若しくは写真等を挿入することにより、聴診器のデザインに多様性を生じさせると共に、患者、特に気の弱い人や幼児年齢にある子供（患者）の恐怖心を生じさせることなく、平常時の心拍数や血圧の診察を可能としている。
【考案を実施するための最良の形態】
【００１５】
以下、本考案の聴診器の複数の実施形態について、図面を参照して詳細に説明する。
【００１６】
〔第１の実施形態〕
この実施形態では、透明又は半透明体により形成されたヘッド主体部が、２つの構成要素（ヘッド上部とヘッド下部）の一体構造として形成され、即ち、ヘッド上部とヘッド下部とは、両者の円周に沿って切られたネジ部によって嵌合されるものである。
また、ヘッド上部とヘッド下部の境界面には、任意の図柄のシート類（写真、絵画等）を挿入することができる。さらに、ヘッド下部には、小物入れのスペースが設けられる。
【００１７】
図１は、本考案の第１の実施形態に係る聴診器の外観図である。同図において、図１７（従来例）と重複する部分には同一の符号を附す。
同図において、本実施形態の聴診器は、患者の心拍音を聴くためのヘッド主体部１（請求項１に記載の聴診器ヘッド）と、ヘッド主体部１に接続された導管接続口２と、導管接続口２に接続された導管３と、導管３に接続された耳管４と、耳管４の先端に設置されたイヤーチップ５と、を備えて構成されている。
【００１８】
ヘッド主体部１は、ヘッド下部１１と、ヘッド上部１２とに分離可能であるが、使用時には両者が嵌合されて一体構造となる。
ヘッド主体部１のヘッド下部１１及びヘッド上部１２は、いずれも透明又は半透明のアクリル樹脂やガラス等の素材により形成されている。
ヘッド下部１１の底面には、振動板（シート）となる１枚のダイヤフラム１１１が張られている。このダイヤフラム１１１の底面が患者の胸に当てられる。
【００１９】
ダイヤフラム１１１は、患者の心拍音が伝えられるように導管接続口２と固着されている。
ダイヤフラム１１１は、透明又は半透明のエポキシ樹脂又はナイロンを素材として形成されている。
【００２０】
患者の心拍音は、ヘッド下部１１のダイヤフラム１１１に伝わり、さらに、ダイヤフラム１１１と固着された導管接続口２、導管３、耳管４、イヤーチップ５の順で伝達され、イヤーチップ５を挿入した医師の耳にまで達する。
【００２１】
ヘッド下部１１とヘッド上部１２とは、両者の円周に沿って切られたネジによって結合され、よって、両者は一体構造をなしている。
ヘッド下部１１とヘッド上部１２との間隙（両者が接する面）には、幼児年齢の子供（患者）が関心を示すような漫画キャラクタ、写真、若しくは絵画等のシート類（以下、「図柄シート」と呼称する）を挿入することができる。この図柄シートの写真や絵画は、両面刷りとすることが可能であり、この場合、医師と対向する面には医師用のメモを書き込んでおくことも可能である。
【００２２】
また、後述するように、ヘッド下部１１側の上面には窪み（収納スペース）が設けられており、この収納スペース内に幼児年齢の子供（患者）が関心を示すような小物類（例えば、ガラス細工製品、宝石類、小型の玩具、小型の時計等）を収納することができる。
【００２３】
図２は、本考案の第１の実施形態に係る聴診器のヘッド主体部１の詳細構成を示す構成図である。
符号１４はリム、符号１５はネジ部、符号１６は前述の収納スペース、符号１７は収納品（前述の小物類）、符号１８は前述の図柄シートを、それぞれ示すものである。
【００２４】
なお、図１，２では、構成を分かり易く示すために、ダイヤフラム１１１（前面）及び導管接続口２の位置を、実際よりもヘッド上部１２側に移動させて示している。
【００２５】
リム１４は、金属又はプラスチックで形成され、その内周面がネジ又は嵌め込み式構造となっており、これにより、ダイヤフラム１１１をヘッド主体部１に取り付ける役割を担っている。
【００２６】
なお、図３は本考案の第１の実施形態に係る聴診器のヘッド主体部１の正面図、図４はヘッド主体部１の背面図、図５はヘッド主体部１の右側面図、図６はヘッド主体部１の平面図、図７はヘッド主体部１の底面図を、それぞれ示す。
【００２７】
また、図８は本考案の第１の実施形態に係る聴診器のヘッド主体部１の断面図を示すものであり、図８（ａ）は切断線（Ａ−Ｂ−Ｃ）を示す参考正面図、図８（ｂ）は、切断線（Ａ−Ｂ−Ｃ）で切断した断面図である。
【００２８】
〔第２の実施形態〕
この実施形態では、透明又は半透明体により形成されたヘッド主体部が、２つの構成要素（ヘッド上部とヘッド下部）の一体構造として形成され、即ち、ヘッド上部とヘッド下部とは、嵌め込み式で嵌合されるものである。
また、ヘッド上部とヘッド下部の境界面には、任意の図柄のシート類（写真、絵画等）を挿入することができる。さらに、ヘッド下部には、小物入れのスペースが設けられる。
【００２９】
図９は、本考案の第２の実施形態に係る聴診器の外観図である。同図において、図１と重複する部分には同一の符号を附す。
同図において、本実施形態の聴診器は、患者の心拍音を聴くためのヘッド主体部５１（請求項１に記載の聴診器ヘッド）と、ヘッド主体部５１に接続された導管接続口２と、導管接続口２に接続された導管３と、導管３に接続された耳管４と、耳管４の先端に設置されたイヤーチップ５と、を備えて構成されている。
【００３０】
ヘッド主体部５１は、ヘッド下部５１１と、ヘッド上部５１２とに分離可能であるが、使用時には両者が嵌合されて一体構造となる。
ヘッド主体部５１のヘッド下部５１１及びヘッド上部５１２は、いずれも透明又は半透明のアクリル樹脂やガラス等の素材により形成されている。
ヘッド下部５１１の底面には、振動板（シート）となる１枚のダイヤフラム１１１が張られている。このダイヤフラム１１１の底面が患者の胸に当てられる。
【００３１】
ダイヤフラム１１１は、患者の心拍音が伝えられるように導管接続口２と固着されている。
ダイヤフラム１１１は、透明又は半透明のエポキシ樹脂又はナイロンを素材として形成されている。
【００３２】
患者の心拍音は、ヘッド下部５１１のダイヤフラム１１１に伝わり、さらに、ダイヤフラム１１１と固着された導管接続口２、導管３、耳管４、イヤーチップ５の順で伝達され、イヤーチップ５を挿入した医師の耳にまで達する。
【００３３】
ヘッド上部５１２は、ヘッド下部５１１と、両者の円周に沿った嵌め込み式構造によって嵌め込まれており、これにより、ヘッド下部５１１とヘッド上部５１２は一体構造として構成されている。
【００３４】
ヘッド下部５１１とヘッド上部５１２との間隙（両者が接する面）には、幼児年齢の子供（患者）が関心を示すような写真や絵画等のシート類（以下、「図柄シート」と呼称する）を挿入することができる。
【００３５】
また、後述するように、ヘッド下部５１１側の上面には窪み（収納スペース）が設けられており、この収納スペース内に幼児年齢の子供（患者）が関心を示すような小物類（例えば、ガラス細工製品、宝石類、小型の玩具、小型の時計等）を収納することができる。
【００３６】
図１０は、本考案の第２の実施形態に係る聴診器のヘッド主体部５１の詳細構成を示す構成図である。
符号１４はリム、符号２１５ははめ込み面、符号１６は前述の収納スペース、符号１７は収納品（前述の小物類）、符号１８は前述の図柄シートを、それぞれ示すものである。
【００３７】
なお、図９，１０では、構成を分かり易く示すために、ダイヤフラム１１１（前面）及び導管接続口２の位置を、実際よりもヘッド上部５１２側に移動させて示している。
【００３８】
リム１４は、金属又はプラスチックで形成され、その内周面がネジ又は嵌め込み式構造となっており、これにより、ダイヤフラム１１１をヘッド主体部５１に取り付ける役割を担っている。
【００３９】
なお、図３は本考案の第１の実施形態に係る聴診器のヘッド主体部５１の正面図、図４はヘッド主体部５１の背面図、図５はヘッド主体部５１の右側面図、図６はヘッド主体部５１の平面図、図７はヘッド主体部５１の底面図を、それぞれ示す。
【００４０】
また、図１６は本考案の第２の実施形態に係る聴診器のヘッド主体部５１の断面図を示すものであり、図１６（ａ）は切断線（Ａ−Ｂ−Ｃ）を示す参考正面図、図１６（ｂ）は、切断線（Ａ−Ｂ−Ｃ）で切断した断面図である。
【００４１】
なお、図１１以下において、符号２１６は、ヘッド下部５１１とヘッド上部５１２とを固定する固定部を示す。この固定部２１６は、ヘッド下部５１１とヘッド上部５１２との嵌合を確実なものとすると共に、両者の相対的な回転を防止する役割を担う。
【図面の簡単な説明】
【００４２】
【図１】本考案の第１の実施形態に係る聴診器の外観図である。
【図２】本考案の第１の実施形態に係る聴診器のヘッド主体部１の詳細構成を示す構成図である。
【図３】本考案の第１の実施形態に係る聴診器のヘッド主体部１の正面図である。
【図４】本考案の第１の実施形態に係る聴診器のヘッド主体部１の背面面図である。
【図５】本考案の第１の実施形態に係る聴診器のヘッド主体部１の右側面図である。
【図６】本考案の第１の実施形態に係る聴診器のヘッド主体部１の平面図である。
【図７】本考案の第１の実施形態に係る聴診器のヘッド主体部１の底面図である。
【図８】本考案の第１の実施形態に係る聴診器のヘッド主体部１の断面図を示すものであり、（ａ）は切断線（Ａ−Ｂ−Ｃ）を示す参考正面図、（ｂ）は、切断線（Ａ−Ｂ−Ｃ）で切断した断面図である。
【図９】本考案の第１の実施形態に係る聴診器の外観図である。
【図１０】本考案の第１の実施形態に係る聴診器のヘッド主体部５１の詳細構成を示す構成図である。
【図１１】本考案の第１の実施形態に係る聴診器のヘッド主体部５１の正面図である。
【図１２】本考案の第１の実施形態に係る聴診器のヘッド主体部５１の背面面図である。
【図１３】本考案の第１の実施形態に係る聴診器のヘッド主体部５１の右側面図である。
【図１４】本考案の第１の実施形態に係る聴診器のヘッド主体部５１の平面図である。
【図１５】本考案の第１の実施形態に係る聴診器のヘッド主体部５１の底面図である。
【図１６】本考案の第１の実施形態に係る聴診器のヘッド主体部５１の断面図を示すものであり、（ａ）は切断線（Ａ−Ｂ−Ｃ）を示す参考正面図、（ｂ）は、切断線（Ａ−Ｂ−Ｃ）で切断した断面図である。
【図１７】従来の聴診器の外観図である。
【符号の説明】
【００４３】
１：ヘッド主体部
２：導管接続口
３：導管
４：耳管
５：イヤーチップ
１１：ヘッド上部
１２：ヘッド下部
１４：リム
１５：ネジ部
１６：収納スペース
１７：収納品
１８：図柄シート
１１１：ダイヤフラム
２１５：はめ込み面
２１６：固定部
【図１】
0003106385.tif 000003
【図２】
0003106385.tif 000004
【図３】
0003106385.tif 000005
【図４】
0003106385.tif 000006
【図５】
0003106385.tif 000007
【図６】
0003106385.tif 000008
【図７】
0003106385.tif 000009
【図８】
0003106385.tif 000010
【図９】
0003106385.tif 000011
【図１０】
0003106385.tif 000012
【図１１】
0003106385.tif 000013
【図１２】
0003106385.tif 000014
【図１３】
0003106385.tif 000015
【図１４】
0003106385.tif 000016
【図１５】
0003106385.tif 000017
【図１６】
0003106385.tif 000018
【図１７】
0003106385.tif 000019